(57)【要約】【課題】  感光体カートリッジの装着の邪魔になることを抑制しつつ、転写ニップと案内部材との間にて用紙詰まりが発生することを抑制することを目的とする。【解決手段】  本体ケーシング１１に対して着脱可能な感光体カートリッジ６０と、定着装置７０と、転写ニップＮ１から定着ニップＮ２へ用紙を案内する案内部材１００と、を備えるレーザプリンタ１において、案内部材１００の回動部１２０は、本体ケーシング１１における感光体カートリッジ６０の着脱経路に位置する第１位置と、感光体カートリッジ６０の着脱経路から退避する第２位置との間を移動可能である。【選択図】図３
2016156972.tif 000002
【特許請求の範囲】
【請求項１】
開口を有する本体ケーシングと、
感光体と、前記感光体との間に転写ニップを形成する転写部材と、を有し、前記開口を介して前記本体ケーシングに対し所定の着脱経路に沿って着脱可能な感光体カートリッジと、
ヒータを有する加熱部材と、前記加熱部材との間に定着ニップを形成する加圧部材と、を有する定着装置と、
前記転写ニップから前記定着ニップへ用紙を案内する案内部材と、を備え、
前記案内部材は、前記本体ケーシングの前記感光体カートリッジの着脱経路に位置する第１位置と、前記本体の前記感光体カートリッジの着脱経路から退避する第２位置との間を移動可能に構成されている、ことを特徴とする画像形成装置。
【請求項２】
前記転写部材は、転写ローラであり、
前記案内部材は、前記転写ローラの回転軸線に沿う第１回転軸線の周りを回動するように構成されている、ことを特徴とする請求項１に記載の画像形成装置。
【請求項３】
前記案内部材は、前記開口に近づくように回動する、ことを特徴とする請求項３に記載の画像形成装置。
【請求項４】
前記案内部材は、前記第２位置に位置するときに、前記開口から前記本体ケーシングの外部に突出している、ことを特徴とする請求項３に記載の画像形成装置。
【請求項５】
前記案内部材は、前記第１回転軸線に沿う軸と、前記第１位置と第２位置との間を回動する回動部と、前記軸から前記回動部とは異なる方向に延びる固定部と、を備えていることを特徴とする、請求項２から４のいずれか１項に記載の画像形成装置。
【請求項６】
前記感光体は、感光ドラムであり、
前記固定部は、前記感光ドラムの回転中心と前記転写ローラの回転中心とを結ぶ直線と直交するとともに前記転写ニップを通過する仮想線と交差する、ことを特徴とする請求項５に記載の画像形成装置。
【請求項７】
前記開口を覆う扉をさらに備え、
前記案内部材は、前記扉の開位置から閉位置への移動に連動して、前記第２位置から前記第１位置へと移動する、ことを特徴とする請求項１から６のいずれか１項に記載の画像形成装置。
【請求項８】
前記扉は、前記開口を覆う本体部と、前記本体部が前記開口を覆っているときに前記本体部から前記本体ケーシングの内部に向けて突出する突出部と、を備え、
前記案内部材は、前記本体部が前記開口を覆っているときに前記突出部と接触する接触部を備えている、ことを特徴とする請求項７に記載の画像形成装置。
【請求項９】
前記突起は、前記第１回転軸線方向における前記本体部の両端部に配置され、
前記接触部は、前記第１回転軸線方向における前記案内部材の両端部に配置されている、ことを特徴とする請求項８に記載の画像形成装置。
【請求項１０】
感光体と転写部材とを有する感光体カートリッジを備えた本体ケーシングに着脱可能に設けられ、ヒータを有する加熱部材と、前記加熱部材と接触して定着ニップを形成する加圧部材と、用紙を前記感光体と前記転写部材との間で形成された転写ニップから前記定着ニップへ向けて案内するための案内部材と、を備えた定着装置であって、
前記案内部材は、前記本体ケーシングの前記感光体カートリッジの装着経路に位置する第１位置と、前記本体ケーシングの前記感光体カートリッジの装着経路から退避する第２位置とに移動可能に構成されている、ことを特徴とする定着装置。
【請求項１１】
前記定着装置は、前記加熱部材及び前記加圧部材を収容する定着フレームを有し、
前記案内部材は、前記定着フレームに支持されている、ことを特徴とする請求項１０に記載の定着装置。
【発明の詳細な説明】
【技術分野】
【０００１】
本発明は、用紙を案内するための案内部材を備えた画像形成装置および案内部材に関する。
【背景技術】
【０００２】
従来、電子写真方式の画像形成装置は、開口を有する本体と、感光ドラムと感光ドラムとの間で転写ニップを形成する転写ローラとを有し、開口を通過して本体の内部に装着される感光体カートリッジと、加熱ローラと加熱ローラとの間に定着ニップを形成する加圧ローラとを有する定着装置と、を備えている。画像形成装置は、さらに、転写ニップから定着ニップに向けて用紙を所定の案内方向に案内する案内面を有する案内部材を備えている。
【０００３】
この案内部材は、感光体カートリッジの装着の邪魔になることを抑制しつつ、感光体カートリッジの着脱経路の外部に配置されている。
【先行技術文献】
【特許文献】
【０００４】
【特許文献１】特開平６−１６１１６３号公報
【発明の概要】
【発明が解決しようとする課題】
【０００５】
しかしながら、このような構成によれば、案内方向における案内部材の上流端から転写ニップまでの距離は、長くなる。そのため、用紙の先端が転写ニップを通過して案内部材に到達するときに、用紙が撓み、転写ニップと案内部材との間の隙間に侵入してしまう。その結果、転写ニップと案内部材との間に用紙詰まりが発生してしまう。
【０００６】
そこで、本発明は、上記の問題に鑑みなされたものであり、感光体カートリッジの装着の邪魔になることを抑制しつつ、転写ニップと案内部材との間にて用紙詰まりが発生することを抑制することを目的とする。
【課題を解決するための手段】
【０００７】
（１）上記の課題を達成するために、本発明の画像形成装置は、開口を有する本体ケーシングと、感光体と、感光体との間に転写ニップを形成する転写部材と、を有し、開口を介して本体に対し所定の着脱経路に沿って着脱可能な感光体カートリッジと、ヒータを有している加熱部材と、加熱部材との間に定着ニップを形成する加圧部材と、を有する定着装置と、転写ニップから定着ニップへ用紙を案内する案内部材と、を備えている。
【０００８】
また、案内部材は、本体ケーシングの感光体カートリッジの着脱経路に位置する第１位置と、本体ケーシングの感光体カートリッジの着脱経路から退避する第２位置との間を移動可能に構成されている。
【０００９】
このような構成によれば、案内部材が第１位置に位置するときには、転写ニップから案内部材までの距離は、短くなる。そのため、用紙の先端が転写ニップを通過して案内部材に到達するときに、転写ニップと案内部材との間の隙間に侵入しにくい。
【００１０】
また、案内部材が第２位置するときに、案内部材は、感光体カートリッジの装着の邪魔にならない。
【００１１】
その結果、感光体カートリッジの装着の邪魔になることを抑制しつつ、転写ニップと案内部材との間にて用紙詰まりが発生することを抑制することができる。
【００１２】
（２）また、転写部材は、転写ローラである。また、案内部材は、転写ローラの回転軸線に沿う第１回転軸線の周りを回動するように構成されていてもよい。
【００１３】
このような構成によれば、簡単な構成で案内部材を第１位置と第２位置との間に移動させることができる。
【００１４】
（３）また、案内部材は、開口に近づくように回動してもよい。
【００１５】
このような構成によれば、より簡単な構成で案内部材を第１位置と第２位置との間に移動させることができる。
【００１６】
（４）また、案内部材は、第２位置に位置するときに、開口から本体ケーシングの外部に突出していてもよい。
【００１７】
このような構成によれば、案内部材から本体ケーシングの開口までの寸法を小さくできる。その結果、本体ケーシングを小型化できる。
【００１８】
（５）また、案内部材は、第１回転軸線に沿って配置された軸と、第１位置と第２位置との間を回動する回動部と、回動部よりも案内方向の下流側に配置された固定部と、を備えていてもよい。
【００１９】
このような構成によれば、案内部材そのものを回動する構成に比べて、案内部材の回動軌跡は、小さくなる。そのため、案内部材が回動したときに、案内部材と本体ケーシングの内部とが干渉することを防ぐための空間を小さくできる。その結果、本体ケーシングを小型化できる。
【００２０】
（６）また、感光体は、感光ドラムであってもよい。また、固定部は、感光ドラムの回転中心と転写ローラの回転中心とを結ぶ直線と直交するとともに転写ニップを通過する仮想線と交差していてもよい。
【００２１】
このような構成によれば、こしの強い用紙の先端が転写ニップを通過した後に、当該用紙の先端は、案内部材の固定部と接触する。つまり、当該用紙の先端は、回動部と固定部との間の連結部分の上を通過しない。そのため、用紙が当該連結部分にて引っかかることを抑制できる。その結果、用紙詰まりの発生を抑制できる。
【００２２】
（７）また、本体ケーシングの開口を覆う扉を備えていてもよい。また、案内部材は、扉の開位置から閉位置への移動に連動して第２位置から第１位置へと移動してもよい。
【００２３】
このような構成によれば、扉の開閉動作と案内部材の位置変更動作とが一つの動作で実行することができる。その結果、ユーザの利便性が向上する。
【００２４】
（８）また、扉は、本体ケーシングの開口を覆う本体部と、本体部が開口を覆っているときに本体部から本体ケーシングの内部に向けて突出する突起と、を備えていてもよい。また、案内部材は、本体部が開口を覆っているときに突起と接触する接触部を備えていてもよい。
【００２５】
このような構成によれば、簡単な構成で、扉の開閉動作と案内部材の位置変更動作とを一つの動作で実行することができる。
【００２６】
（９）また、突起は、用紙幅方向における本体部の両端部に配置されていてもよい。また、接触部は、用紙幅方向における案内部材の両端部に配置されていてもよい。
【００２７】
このような構成によれば、簡単な構成で、案内部材の位置を維持しておくことができる。
【００２８】
（１０）上記の課題を達成するために、本発明の定着装置は、感光体と転写部材とを有する感光体カートリッジを備えた本体ケーシングに着脱可能に設けられ、ヒータを有する加熱部材と、加熱部材と接触して定着ニップを形成する加圧部材と、用紙を感光体と転写部材との間で形成された転写ニップから定着ニップへ向けて案内するための案内部材と、を備えている。また、案内部材は、本体ケーシングの感光体カートリッジの装着経路に位置する第１位置と、本体ケーシングの感光体カートリッジの装着経路から退避する第２位置とに移動可能に構成されている。
【００２９】
このような構成によれば、案内部材が第１位置に位置するときに、転写ニップから案内部材までの寸法は、小さくなる。そのため、用紙の先端が転写ニップを通過して案内部材に到達するときに、転写ニップと案内部材との間の隙間に侵入しにくい。
【００３０】
また、案内部材が第２位置するときに、案内部材は、感光体カートリッジの装着の邪魔にならない。
【００３１】
その結果、感光体カートリッジの装着の邪魔になることを抑制しつつ、転写ニップと案内部材との間にて用紙詰まりが発生することを抑制することができる。
【００３２】
（１１）また、定着装置は、加熱部材及び加圧部材を収容する定着フレームを有していてもよい。また、案内部材は、定着フレームに支持されていてもよい。
【００３３】
このような構成によれば、案内部材が本体ケーシングに支持される場合に比べて、定着ニップと案内部材との位置決め精度を高めることができる。その結果、定着ニップへの用紙の搬送精度を高めることができる。
【発明の効果】
【００３４】
本発明によれば、感光体カートリッジの装着の邪魔になることを抑制しつつ、転写ニップと案内部材との間にて用紙詰まりが発生することを抑制することができる。
【図面の簡単な説明】
【００３５】
【図１】レーザプリンタの断面の模式図。
【図２】扉、感光体カートリッジおよび定着装置の拡大図。
【図３】案内部材が第２位置に位置する状態を説明するための説明図。
【図４】扉を開放した状態の本体の斜視図。
【図５】感光体カートリッジを本体ケーシングに装着する前の状態を説明するための説明図。
【図６】感光体カートリッジを本体ケーシングに装着し、扉を閉めている途中の状態を説明するための説明図。
【図７】感光体カートリッジを本体ケーシングに装着し、扉を閉めた後の状態を説明するための説明図。
【発明を実施するための形態】
【００３６】
＜実施形態１＞
本発明の実施形態１について、適宜図面を参照しながら詳細に説明する。
【００３７】
１．レーザプリンタ１の全体構成
まず、図１を参照して、レーザプリンタ１の全体構成を説明する。レーザプリンタ１は、本体１０と、用紙を給紙するための給紙部２０と、給紙部２０において給紙された用紙に画像を形成するための画像形成部３０と、画像形成部３０において画像が形成された用紙を本体１０の外部へと排紙するための排紙部４０と、を備えている。
【００３８】
本体１０は、給紙部２０と、画像形成部３０と、排紙部４０と、を支持している。給紙部２０は、内部に用紙を収容するための給紙カセット２１と、給紙カセット２１からピックアップした用紙を画像形成部３０に向けて搬送するための給紙ローラ２２と、を備えている。給紙カセット２１は、本体１０に着脱可能に構成されており、本体１０の底部に配置されている。
【００３９】
画像形成部３０は、露光装置５０と、感光体カートリッジ６０と、定着装置７０と、を備えている。露光装置５０は、感光ドラム６１の外周面に静電潜像を形成するように構成されている。
【００４０】
感光体カートリッジ６０は、本体１０に着脱可能に構成され、外周面上に静電潜像を形成するための感光ドラム６１と、感光ドラム６１の外周面上を一様に帯電させるための帯電器６２と、感光ドラム６１と接触して感光ドラムの外周面上に現像剤を供給して静電潜像を現像して現像剤像を形成するための現像ローラ６３と、感光ドラム６１との間に転写ニップＮ１を形成して現像剤像を用紙に転写するための転写ローラ６４と、を備えている。
【００４１】
定着装置７０は、用紙に形成された現像剤像を定着するために配置され、加熱源としてのヒータを有している加熱ローラ７１と、加熱ローラ７１との間に定着ニップＮ２を形成する加圧ローラ７２と、を備えている。尚、加熱ローラ７１は、加熱部材の一例であり、加圧ローラ７２は、加圧部材の一例である。
【００４２】
排紙部４０は、定着装置７０の後側に設けられ、定着ニップＮ２を通過した用紙を本体１０の外部へと排紙するように構成されている。
【００４３】
２．本体１０の構成
次に、図２を参照して、本体１０の構成について説明する。
【００４４】
本体１０は、図２に示すように、本体ケーシング１１と、扉１２と、を備えている。本体ケーシング１１は、開口Ａを有している。扉１２は、本体ケーシング１１の開口Ａを開閉するために回動可能に構成され、本体部１３と、突起１４と、を備えている。
【００４５】
本体部１３は、開口Ａを覆うように構成されている。突起１４は、本体部１３が本体ケーシング１１の開口Ａを開放しているときに、本体部１３から感光体カートリッジ６０の装着方向Ｘと直交する方向に延びている。
【００４６】
３．定着装置７０の構成
次に、図２および図３を参照して、定着装置７０の構成を説明する。
【００４７】
定着装置７０は、本体ケーシング１１に着脱可能に構成され、加熱ローラ７１と、加圧ローラ７２と、定着フレーム７３と、案内部材１００と、を備えている。
【００４８】
加熱ローラ７１は、ヒータによって所定の温度（１７０℃〜２００℃の範囲内の温度）に加熱される。加圧ローラ７２は、加熱ローラ７１に向かって付勢される。これにより、加圧ローラ７２は、加熱ローラ７１との間に定着ニップＮ２を形成する。定着フレーム７３は、加熱ローラ７１と加圧ローラ７３とを収容している。
【００４９】
案内部材１００は、転写ニップＮ１から定着ニップＮ２までの間に配置されている。また、案内部材１００は、図３に示すように、軸１１０と、回動部１２０と、固定部１３０と、バネ１４０と、を備えている。軸１１０は、転写ローラ６４の回転軸線方向に沿って配置され、定着フレーム７３に支持されている。尚、軸１１０は、第１回転軸線に沿って延びる。
【００５０】
回動部１２０は、軸１１０の周りを回転可能に構成され、感光体カートリッジ６０の着脱経路に位置する第１位置と、感光体カートリッジ６０の着脱経路から退避する第２位置との間を回動する。具体的には、回動部１２０は、第１位置に位置するときに、用紙を定着ニップＮ２に向けて案内するように用紙の案内方向Ｙに沿い、第２位置に位置するときに、感光体カートリッジ６０の着脱経路から退避するように感光体カートリッジ６０の装着方向Ｘに沿うように回動する。また、回動部１２０は、用紙の案内方向において軸１１０よりも上流側に配置されている。
【００５１】
また、回動部１２０は、第２位置に位置するときに、本体ケーシング１１の開口Ａから本体ケーシング１１の外部に突出する。言い換えると、感光体カートリッジ６０の装着方向Ｘにおける回動部１２０の寸法は、案内部材１００の軸１１０から本体ケーシング１１の開口Ａまでの寸法よりも大きい。固定部１３０は、用紙の案内方向において回動部１２０よりも下流側に配置されている。
【００５２】
バネ１４０は、引きバネであり、本体ケーシング１１の開口Ａと案内部材１００との間に配置されている。また、バネ１４０は、扉１２が本体ケーシング１１の開口Ａを開放しているときに、案内部材１００の回動部１２０を第２位置に位置させるように回動部１２０を上方に付勢している。また、バネ１４０は、一端が案内部材１００の回動部１２０に支持され、他端が案内部材１００の固定部１３０に支持されている。
【００５３】
さらに、案内部材１００の回動部１２０は、図４に示すように、用紙を案内するための案内部１２１と、扉１２の突起１４と接触する接触部１２２と、を備えている。案内部１２１は、軸１１０の軸線方向に沿って配置されている。接触部１２２は、円筒形状であり、軸１１０の軸線方向において案内部１２１の両端部に配置されている。
【００５４】
４．案内部材１００の移動
次に、図５から図７を参照して、案内部材１００が第１位置と第２位置との間を移動する過程について説明する。
【００５５】
案内部材１００は、図５に示すように、扉１２が開放されて開口Ａが露出されると、感光体カートリッジ６０の装着経路から退避する第２位置に位置する。言い換えると、案内部材１００の回動部１２０は、感光体カートリッジ６０の装着経路に沿うように、開口Ａに向けて回動する。このとき、案内部材１００のバネ１４０は、案内部材１００の回動部１２０を反時計方向に回動させるように回動部１２０を付勢する。
【００５６】
次に、感光体カートリッジ６０は、図６に示すように、本体ケーシング１１の内部に装着される。その後、扉１２は、開口Ａを開放する開位置から閉位置へと回動する。このとき、扉１２の突起１４は、案内部材１００の回動部１２０の接触部１２２に接触する。すると、案内部材１００の回動部１２０は、第２位置から第１位置へと回動し始める。このとき、案内部材１００のバネ１４０が回動部１２０を付勢する付勢力よりも、扉１２の突起１４が案内部材１００の回動部１２０を時計方向に回動させる押し込み力の方が強くなる。その結果、案内部材１００の回動部１２０は、時計方向に回動し、第１位置へと回動する。すなわち、案内部材１００の回動部１２０は、扉１２の開位置から閉位置への移動に連動して、第２位置から第１位置へと回動する。
【００５７】
その後、扉１２は、図７に示すように、閉位置に位置する。この状態において、こしの強い用紙に印字を行う印字動作が開始されると、転写ニップＮ１を通過した用紙の先端は、案内部材１００の固定部１３０と接触する。すなわち、案内部材１００の固定部１３０は、感光ドラム６１の回転中心６１ａと転写ローラ６４の回転中心６４ａとを結ぶ直線と直交するとともに転写ニップＮ１を通過する仮想線と交差する位置に配置されている。一方、こしの弱い用紙に印字を行う印字動作が開始されると、転写ニップＮ１を通過した用紙の先端は、案内部材１００の回動部１２０と接触する。そのため、こしの弱い用紙が転写ニップＮ１と案内部材１００との間の隙間に入り込むことなく、当該用紙は、定着ニップＮ２に向けて案内される。
【００５８】
５．実施形態１の作用効果
（１）案内部材１００の回動部１２０は、本体１０の感光体カートリッジ６０の着脱経路に位置する第１位置と、本体１０の感光体カートリッジ６０の着脱経路から退避する第２位置との間を移動可能に構成されている。
【００５９】
このような構成によれば、案内部材１００の回動部１２０が第１位置に位置するときに、転写ニップＮ１と案内部材１００との間の寸法は、小さくなる。そのため、用紙の先端が転写ニップＮ１を通過して案内部材１００に到達するときに、用紙が転写ニップＮ１と案内部材１００との間の隙間に侵入しにくい。
【００６０】
また、案内部材１００の回動部１２０が第２位置するときに、案内部材１００は、感光体カートリッジ６０の装着の邪魔にならない。
【００６１】
その結果、感光体カートリッジ６０の装着の邪魔になることを抑制しつつ、転写ニップＮ１と案内部材１００との間にて用紙詰まりが発生することを抑制することができる。
【００６２】
（２）案内部材１００の回動部１２０は、転写ローラ６４の回転軸線に沿う軸１１０の周りを回動するように構成されている。
【００６３】
このような構成によれば、簡単な構成で案内部材１００を第１位置と第２位置との間に移動させることができる。
【００６４】
（３）案内部材１００の回動部１２０は、開口Ａに近づくように回動する。
【００６５】
このような構成によれば、より簡単な構成で案内部材１００を第１位置と第２位置との間に移動させることができる。
【００６６】
（４）案内部材１００は、第２位置に位置するときに、本体ケーシング１１の開口Ａから本体ケーシング１１の外部に突出している。
【００６７】
このような構成によれば、案内部材１００と本体ケーシング１１の開口Ａとの間の寸法を小さくできる。そのため、本体ケーシング１１を小型化できる。
【００６８】
（５）案内部材１００は、転写ローラ６４の回転軸線方向に沿う軸１１０と、第１位置と第２位置との間を回動する回動部１２０と、軸１１０から回動部１２０とは反対側に延びる固定部１３０と、を備えている。
【００６９】
このような構成によれば、案内部材１００そのものが回動する構成に比べて、案内部材１００の回動軌跡は、小さくなる。そのため、案内部材１００が回動したときに、案内部材１００と本体ケーシング１１の内部とが干渉することを防ぐための空間を小さくできる。その結果、本体ケーシング１１を小型化できる。
【００７０】
（６）固定部１３０は、感光ドラム６１の回転中心６１ａと転写ローラ６４の回転中心６４ａとを結ぶ直線と直交するとともに転写ニップＮ１を通過する仮想線Ｌと交差するように配置されている。
【００７１】
このような構成によれば、こしの強い用紙の先端が転写ニップＮ１を通過した後に、当該用紙の先端は、案内部材１００の固定部１３０と接触する。つまり、当該用紙の先端は、回動部１２０と固定部１３０との間の連結部分の上を通過しない。そのため、用紙が当該連結部分にて引っかかることを抑制できる。その結果、用紙詰まりの発生を抑制できる。
【００７２】
（７）案内部材１００の回動部１２０は、扉１２の開位置から閉位置への移動に連動して、第２位置から第１位置へと回動する。
【００７３】
このような構成によれば、扉１２の開閉動作と案内部材１００の位置変更動作とが一つの動作で実行することができる。その結果、ユーザの利便性が向上する。
【００７４】
（８）扉１２は、本体ケーシング１１の開口Ａを覆う本体部１３と、本体部１３が開口Ａを覆っているときに本体部１３から本体ケーシング１１の内部に向けて突出する突起１４と、を備えている。また、案内部材１００の回動部１２０は、本体部１３が開口Ａを覆っているときに突起１４と接触する接触部１２２を備えている。
【００７５】
このような構成によれば、簡単な構成で、扉１２の開閉動作と案内部材１００の回動部１２０の位置変更動作とを一つの動作で実行することができる。
【００７６】
（９）突起１４は、転写ローラ６４の回転軸線方向における本体部１３の両端部に配置されている。また、接触部１２２は、転写ローラ６３の回転軸線方向における案内部材１００の両端部に配置されている。
【００７７】
このような構成によれば、簡単な構成で、案内部材の位置を維持しておくことができる。
【００７８】
＜変形例＞
本実施形態において、案内部材の回動部は、第１位置と第２位置との間を回動するように構成されていた。しかし、本発明は、これに限定されない。たとえば、案内部材の少なくとも一部は、第１位置と第２位置との間を伸長するように構成されていてもよい。
【００７９】
また、案内部材の回動部は、扉の開閉に連動して感光体カートリッジの装着経路に位置する第１位置と感光体カートリッジの装着経路から退避する第２位置との間を移動するように構成されていた。しかし、本発明は、これに限定されない。たとえば、案内部材の回動部は、感光体カートリッジの装着に連動して第２位置から第１位置へと移動するように構成されていてもよい。
【００８０】
また、案内部材は、軸と、回動部と、固定部と、を備えていた。しかし、本発明は、これに限定されない。たとえば、案内部材は、固定部を備えていなくてもよい。つまり、案内部材そのものが回動するように構成されていてもよい。
【００８１】
また、感光体カートリッジは、感光ドラムと、転写ローラと、を備えていた。しかし、本発明は、これに限定されない。たとえば、感光ドラムは、感光ベルト、中間転写ベルトなどであってもよい。転写ローラは、転写ベルト、転写ブラシなどであってもよい。
【００８２】
また、定着装置は、加熱ローラと、加圧ローラと、を備えていた。しかし、本発明は、これに限定されない。たとえば、加熱ローラは、加熱ベルトであってもよい。尚、加熱ベルトは、ＳＵＳ、ニッケルまたはポリイミドなどからなる基層を備えていてもよい。加圧ローラは、加圧ベルトであってもよい。尚、加圧ベルトは、ＳＵＳ、ニッケルまたはポリイミドなどからなる基層を備えていてもよい。
【符号の説明】
【００８３】
１          レーザプリンタ
１０        本体
１１        本体ケーシング
１２        扉
１３        本体
１４        突起
６０        感光体カートリッジ
６１        感光ドラム
６４        転写ローラ
７０        定着装置
７１        加熱ローラ
７２        加圧ローラ
７３        定着フレーム
１００      案内部材
１１０      軸
１２０      回動部
１２１      案内部
１２２      接触部
１３０      固定部
１４０      バネ
Ａ          開口
Ｌ          仮想線
Ｎ１        転写ニップ
Ｎ２        定着ニップ
【図１】
2016156972.tif 000003
【図２】
2016156972.tif 000004
【図３】
2016156972.tif 000005
【図４】
2016156972.tif 000006
【図５】
2016156972.tif 000007
【図６】
2016156972.tif 000008
【図７】
2016156972.tif 000009